(57)【要約】【課題】シワを発生させることなくウエブを巻き芯に巻き付けることができるとともに、巻き付けたウエブを確実に巻き戻すことのできるウエブの巻き付け方法を提供する。【解決手段】ウエブＷは、その先端部が両面粘着テープ片２０で巻き芯１２に貼り付けられて巻き芯１２に巻き付けられる。両面粘着テープ片２０の表裏両面には、粘着面を被覆するマスク２２〜２５が設けられ、巻き芯側粘着面２１ｂに対するウエブ側粘着面２１ａの面積比（Ｓ２／Ｓ１）が３０％以上８０％未満に設定される。【選択図】  図４
2007238187.tif 000002
【特許請求の範囲】
【請求項１】
ウエブの先端部を両面テープによって巻き芯に貼り付けて、該ウエブを前記巻き芯に巻き付けるウエブの巻き付け方法において、
前記両面テープの表裏両面に、その粘着面を被覆するマスクを設けることによって、巻き芯側の粘着面に対するウエブ側の粘着面の面積比を３０％以上８０％未満に設定することを特徴とするウエブの巻き付け方法。
【請求項２】
前記ウエブ側の粘着面に設けられたマスクは、前記両面テープにおいて、前記ウエブの長手方向の両端部に配置されることを特徴とする請求項１に記載のウエブの巻き付け方法。
【請求項３】
前記ウエブ側の粘着面に設けられたマスクは、前記ウエブの長手方向の後端側のマスクの面積が、前記ウエブの長手方向の先端側のマスクの面積以上であることを特徴とする請求項２に記載のウエブの巻き付け方法。
【請求項４】
前記ウエブ側の粘着面に設けられたマスクは、前記ウエブの長手方向の後端側のマスクの面積が、前記ウエブの長手方向の先端側のマスクの面積の１倍以上５倍以下であることを特徴とする請求項３に記載のウエブの巻き付け方法。
【請求項５】
前記マスクは、前記両面テープにおいて、前記ウエブの幅方向の両端部に設けられることを特徴とする請求項１に記載のウエブの巻き付け方法。
【請求項６】
前記ウエブ側の粘着面に設けられたマスクは、前記ウエブの幅方向の内側のマスクの面積が、前記ウエブの幅方向の外側のマスクの面積以上であることを特徴とする請求項５に記載のウエブの巻き付け方法。
【請求項７】
前記ウエブ側の粘着面に設けられたマスクは、前記ウエブの幅方向の内側のマスクの面積が、前記ウエブの幅方向の外側のマスクの面積の１〜３倍であることを特徴とする請求項６に記載のウエブの巻き付け方法。
【請求項８】
前記ウエブの先端部が斜めに切断され、該先端部に前記両面テープが貼り付けられることを特徴とする請求項１〜７のいずれか１に記載のウエブの巻き付け方法。
【請求項９】
前記ウエブが厚み５０μｍ以上２５０μｍ以下のＰＥＴであることを特徴とする請求項１〜８のいずれか１に記載のウエブの巻き付け方法。
【発明の詳細な説明】
【技術分野】
【０００１】
本発明はウエブ巻き付け方法に係り、特に、連続的に送られる広幅の可撓性帯状支持体（以下、ウエブと称する）を切断し、新たな巻き芯に巻き付けるウエブ巻き付け方法に関するものである。
【背景技術】
【０００２】
ウエブ巻き取り装置は、連続的に送られる紙やプラスチックフィルム等のウエブを巻き芯に巻き取る装置であり、従来より種々のものが提案されている。例えば、特許文献１には、両面接着テープをウエブに貼って巻き芯に巻き付ける装置が提案されている。また、特許文献２には、ロータリーカッタを用いてウエブを切断し、この切断した先端を巻き芯に巻き付けるようにした巻き取り装置が提案されている。
【０００３】
しかし、特許文献１や特許文献２は、ウエブの幅が広くなった際やウエブを高速で巻き芯に巻き付けた際に、先端の巻き付け部にシワが発生しやすいという問題があった。
【０００４】
そこで、特許文献３は、ウエブを斜めに切断し、その先端部に両面テープを貼ることで、シワの発生を防止している。
【特許文献１】特公平２−２７７４号公報
【特許文献２】特公平４−７２６７３号公報
【特許文献３】特開２００３−１４６４９８号公報
【発明の開示】
【発明が解決しようとする課題】
【０００５】
しかしながら、特許文献３は、巻き取ったウエブを後工程で巻き戻す際にテープ片がウエブに付いたまま送り出されて装置を汚すおそれがあった。また、テープ片がウエブに付いたまま送り出された場合には、テープ片を除去するためにラインを停止しなければならないという不具合があった。
【０００６】
本発明はこのような事情に鑑みてなされたもので、シワを発生させることなくウエブを巻き芯に巻き付けることができるとともに、巻き付けたウエブを確実に巻き戻すことのできるウエブの巻き付け方法を提供することを目的とする。
【課題を解決するための手段】
【０００７】
請求項１に記載の発明は前記目的を達成するために、ウエブの先端部を両面テープによって巻き芯に貼り付けて、該ウエブを前記巻き芯に巻き付けるウエブの巻き付け方法において、前記両面テープの表裏両面に、その粘着面を被覆するマスクを設けることによって、巻き芯側の粘着面に対するウエブ側の粘着面の面積比を３０％以上８０％未満に設定することを特徴とする。
【０００８】
請求項１の発明によれば、巻き芯側の粘着面に対するウエブ側の粘着面の面積比を３０％以上に設定したので、ウエブの巻き付け時にウエブを確実に巻き芯に貼り付けることができる。また、前記面積比を８０％以下に設定したので、巻き付け後のウエブを巻き戻す際に、両面テープがウエブに付いて送り出されることを防止することができる。さらに請求項１の発明によれば、両面テープの表裏表面にマスク（すなわち、露出面が非粘着性であり、テープの粘着面に被覆する被覆部材）を設けたので、両面テープを巻き芯から剥がす際に、両面テープを巻き芯からスムーズに剥がすことができる。
【０００９】
請求項２に記載の発明は請求項１において、前記ウエブ側の粘着面に設けられたマスクは、前記両面テープにおいて、前記ウエブの長手方向の両端部に配置されることを特徴とする。
【００１０】
請求項２の発明によれば、ウエブの長手方向の両端部にマスクを設けたので、ウエブを巻き戻した際に、ウエブが両面テープから剥がれやすくなり、両面テープがウエブに付いたまま送り出されることをより確実に防止することができる。
【００１１】
請求項３に記載の発明は請求項２の発明において、前記ウエブ側の粘着面に設けられたマスクは、前記ウエブの長手方向の後端側のマスクの面積が、前記ウエブの長手方向の先端側のマスクの面積以上であることを特徴とする。なお、ウエブの長手方向の後端側とは、ウエブの巻き取り時における下流側であり、ウエブの巻き戻し時にはウエブの走行方向の上流側となる。
【００１２】
請求項３の発明によれば、後端側、すなわち、ウエブを巻き戻す際の走行方向の上流側の粘着力が弱いので、ウエブを巻き戻す際に、ウエブが両面からスムーズに剥がれる。よって、両面テープがウエブに付いて送り出されることを確実に防止することができる。
【００１３】
請求項４に記載の発明は請求項３の発明において、前記ウエブ側の粘着面に設けられたマスクは、前記ウエブの長手方向の後端側のマスクの面積が、前記ウエブの長手方向の先端側のマスクの面積の１倍以上５倍以下であることを特徴とする。
【００１４】
請求項５に記載の発明は請求項１の発明において、前記マスクは、前記両面テープにおいて、前記ウエブの幅方向の両端部に設けられることを特徴とする。
【００１５】
請求項５の発明によれば、マスクがウエブの幅方向の両端部に設けられるので、ウエブを巻き戻す際に、ウエブが両面テープからスムーズに剥離される。
【００１６】
請求項６に記載の発明は請求項５の発明において、前記ウエブ側の粘着面に設けられたマスクは、前記ウエブの幅方向の内側のマスクの面積が、前記ウエブの幅方向の外側のマスクの面積以上であることを特徴とする。
【００１７】
請求項７に記載の発明は請求項６の発明において、前記ウエブ側の粘着面に設けられたマスクは、前記ウエブの幅方向の内側のマスクの面積が、前記ウエブの幅方向の外側のマスクの面積の１〜３倍であることを特徴とする。
【００１８】
請求項８に記載の発明は請求項１〜７のいずれか１に記載の発明において、前記ウエブの先端部が斜めに切断され、該先端部に前記両面テープが貼り付けられることを特徴とする。
【００１９】
請求項９に記載の発明は請求項１〜８のいずれか１に記載の発明において、前記ウエブが厚み５０μｍ以上２５０μｍ以下のＰＥＴであることを特徴とする。
【発明の効果】
【００２０】
本発明によれば、両面テープの表裏表面にマスクを設けるとともに、巻き芯側の粘着面に対するウエブ側の粘着面の面積比を適切な範囲に設定したので、ウエブの巻き取り、巻き戻しを良好に行うことができるとともに、両面テープを巻き芯から容易に剥がすことができる。
【発明を実施するための最良の形態】
【００２１】
以下添付図面に従って本発明に係るウエブの巻き付け方法の好ましい実施の形態について説明する。
【００２２】
図１及び図２は本発明のウエブの巻き付け方法を実施したターレット型の巻き取り装置を示している。図１は巻き取りの定常状態を示しており、図２は巻き替え状態を示している。この巻き取り装置１０は、製膜ライン１１から連続的に送られてくるウエブＷを巻き芯１２に巻き取る装置である。
【００２３】
巻き取り装置１０は主として、巻き芯保持部１３と、ウエブ案内部１４とで構成される。巻き芯保持部１３は、ターレットアーム１５、１５とガイドローラ１６、１６とを備えており、ターレットアーム１５、１５の取付軸１７、１７に巻き芯１２、１２がセットされる。ターレットアーム１５及びガイドローラ１６、１６は１対設けられており、取付軸１８を介して時計方向に１８０°の角度で間欠回転するようになっている。
【００２４】
巻き芯１２、１２の一方は、左側の巻き芯交換位置にセットされ、もう一方の巻き芯１２は右側の定常巻取り位置にセットされる。そして、定常巻取り位置でウエブＷを巻き取っている間に、他方の巻き芯交換位置で巻き芯１２の交換が行われる。巻き芯１２の交換は、満巻きのウエブロールを取付軸１７から取り外した後に、空の巻き芯１２がセットされることにより行われる。
【００２５】
空の巻き芯１２には、予めウエブＷの幅に合わせた位置で両面粘着テープ片２０が貼り付けられている。図３に示すように、両面粘着テープ片２０は、巻き付けられるウエブＷの長手方向に沿って貼り付けられ、その貼り付け位置は、ウエブＷ２の側縁Ｗａからのテープ片貼付距離Ｌａが０〜１７０ｍｍ、粘着テープ片２０の先端からウエブ切断線３８の先端までの距離Ｌｂが０〜１００ｍｍの範囲になるように設定される。
【００２６】
図４に示すように、両面粘着テープ片２０は、両面に粘着面が設けられた粘着テープ本体２１と、そのウエブ側粘着面２１ａに貼り付けられたマスク２２、２３と、巻き芯側粘着面２１ｂに貼り付けられたマスク２４、２５によって構成される。粘着テープ本体２１は、その幅Ｗｔが５０ｍｍ、長さＬｔが１３０ｍｍの矩形状に切断されており、ウエブＷ（図３参照）の長手方向に沿って貼り付けられる。
【００２７】
マスク２２〜２５は、粘着テープ本体２１に貼り付けることによって粘着力を無くし、粘着テープ本体２１の接着力を制御するものであり、たとえばアルミ蒸着テープ等の粘着面被覆テープが用いられる。
【００２８】
マスク２２は、粘着テープ本体２１のウエブ側粘着面２１ａのうち、ウエブＷの長手方向の先端側（図３の左側）の端部に配置され、マスク２３は、ウエブＷの長手方向の後端側（図３の右側）の端部に配置される。マスク２３は、その面積がマスク２２の面積よりも大きくなるように設定されており、たとえばマスク２３の面積（Ｍ２３）はマスク２２の面積（Ｍ２２）に対して１倍以上５倍以下、好ましくは１倍を超えて５倍以下に設定されている。これにより、両面粘着テープ片２０は、ウエブ側粘着面２１ａにおいて、ウエブ長手方向の後端側の粘着力が先端側の粘着力よりも弱くなる。したがって、ウエブＷを巻き芯１２から巻き戻す際に、進行方向の上流側（両面粘着テープ片２０の後端側）においてウエブＷが剥がれやすくなり、両面粘着テープ片２０がウエブＷから剥がれずに付いて送られることを防止することができる。また、マスク２３の面積（Ｍ２３）をマスク２２の面積（Ｍ２２）の５倍以下に設定することによって、マスク２３部分の両面粘着テープ片２０が折れることを防止することができる。
【００２９】
一方、マスク２４、２５は、粘着テープ２１の巻き芯側粘着面２１ｂのうち、ウエブＷの長手方向の両端部に配置される。マスク２４の面積（Ｍ２４）とマスク２５の面積（Ｍ２５）は、たとえば同じ値に設定される。
【００３０】
また、マスク２４、２５の面積の合計（Ｍ２４＋Ｍ２５）は、マスク２２、２３の面積の合計（Ｍ２２＋Ｍ２３）よりも小さく設定される。具体的には、マスクＭ２２、２３から露出されたウエブ側粘着面２１ａの面積Ｓ２が、マスク２４、２５から露出された巻き芯側粘着面２１ｂの面積Ｓ１に対して、３０％以上８０％未満になるように設定される。ウエブ側粘着面２１ａの面積Ｓ２を巻き芯側粘着面２１ｂの面積Ｓ１の３０％以上に設定したことによって、ウエブＷを巻き芯１２に巻き付けた際に、ウエブＷを両面粘着テープ片２０に確実に貼り付けることができる。また、ウエブ側粘着面２１ａの面積Ｓ２を巻き芯側粘着面２１ａの面積Ｓ１の８０％未満に設定したことによって、ウエブＷを巻き芯１２から巻き戻す際に、ウエブＷを両面粘着テープ片２０から確実に剥がすことができる。
【００３１】
図１に示すように、ウエブ案内部１４はコントローラ２８とカッタアーム２９とを備えている。コントローラ２８は図示しない各種センサの検出信号に基づきカッタアーム２９を制御して、ウエブＷの切断及び巻き付けを行う。そして、ガイドローラ３０を介して送られてくるウエブＷを巻き芯１２に巻き付ける際に、図３に示すように、切断線３８によるウエブ先端部Ｗ２と貼着テープ片２０との位置関係Ｌａ，Ｌｂが所定の範囲内に入るように各部を制御する。
【００３２】
カッタアーム２９は、ガイドローラ３１，３２と、ウエブカッタ３３と、押さえローラ３４とを有し、図１に示すように鉛直方向に位置した巻取りガイド位置と、図２に示すように空の巻き芯１２に近接した巻付け位置との間で変位するようになっている。このカッタアーム２９が巻取りガイド位置にセットされた状態（図１参照）では、ガイドローラ３１，３２によりウエブＷが巻き芯１２へ向けて案内され、巻き芯１２にウエブＷが巻き取られる。また、カッタアーム２９が巻付け位置にセットされた状態（図２参照）では、ウエブカッタ３３によるウエブＷの切断と、押さえローラ３４による巻き芯１２へのウエブ圧着とが行われる。
【００３３】
ウエブカッタ３３は、ロータリーカッタ３５とカッタ移動機構３６とから構成されている。ロータリーカッタ３５は、図５（Ｂ）に示す如く上回転刃３５ａ、下回転刃３５ｂで構成されている。カッタ移動機構３６は、ロータリーカッタ３５をウエブＷの幅方向に移動させることにより、ウエブＷを幅方向で切断する。このとき、ウエブＷの送り速度Ｖｗとカッタ３５の移動速度Ｖｃとの合成ベクトルにより、ウエブＷに切断角度θの切断線３８が形成され、この切断線３８でウエブＷが切り離される。切断角度θは、切断線３８とウエブＷの側縁との交差角度であり、速度Ｖｗ，Ｖｃに基づき次式、θ＝tan−１(Ｖｗ／Ｖｃ）により求められる。この切断角度θは４５〜８０°の範囲がよく、更に好ましくは６０〜７５°の範囲である。なお、本実施の形態では、ウエブＷの送り速度Ｖｗは８０〜１１０ｍ／分に設定される。
【００３４】
図５は、ウエブＷの切断及び巻付け処理を順に示すもので、図５（Ａ）は巻付け開始の直前の状態を示している。この状態では、押さえローラ３４が巻き芯１２側に押し付けられておらず、巻き芯１２上の粘着テープ片２０の位置が図示しないセンサにより検出される。
【００３５】
粘着テープ片２０の検出信号に基づき粘着テープ片２０が所定位置に達した際、コントローラ２９によってウエブカッタ３３による切断開始のタイミングが特定され、図５（Ｂ）に示すように、押さえローラ３４が巻き芯１２側に押し付けられた状態になる。この押し付け後に、ウエブカッタ３３がウエブＷの幅方向に移動することにより、ウエブＷの切断が開始される。このとき、ウエブ送り速度Ｖｗとカッタ移動速度Ｖｃとの合成ベクトルにより、切断角度θにより切断線３８でウエブＷが切断される。
【００３６】
図５（Ｃ）に示すように、粘着テープ片２０がウエブＷに接触すると、押さえローラ３４の押圧により、ウエブＷが両面粘着テープ片２０によって巻き芯１２に貼り付けられる。その際、両面粘着テープ片２０のウエブ側粘着面２１ａの面積Ｓ２が、巻き芯側粘着面２１ｂの面積Ｓ１に対して、３０％以上になるように設定されているので、ウエブＷを両面粘着テープ片２０によって確実に巻き芯１２に貼り付けることができる。
【００３７】
図５（Ｄ）に示すようにウエブＷの切断が終了すると、切断線３８よりも上流側のウエブ後端部Ｗは、巻き芯交換位置側の巻き芯１２に巻き取られて、ウエブＷの巻き取りを終了する。この後、この満巻きとされたウエブロールは取付軸１７から取り外され、新たな空の巻き芯２０がセットされる。
【００３８】
ウエブＷの巻き付けが完了すると、図１に示すように、カッタアーム２９は巻取りガイド位置にセットされて、定常状態で巻き取りが続行される。そして、巻き取り長さが満巻き長さに達すると、ターレットアーム１５が１８０°回転して、新たな空の巻き芯１２を定常巻き取り位置にセットした後に、カッタアーム２９が巻付け位置にセットされて、新たな巻き付けが行われる。以下、上記の繰り返しが行われることにより、連続して送られるウエブＷを順次巻き芯１２に巻き取ることができる。
【００３９】
巻き芯１２に巻き取られたウエブは、不図示の後工程において、巻き芯１２から巻き戻されながら、たとえば３〜３０ｍ／ｍｉｎの速度で送り出される。その際、両面粘着テープ片２０のウエブ側粘着面２１ａの面積Ｓ２が、巻き芯側粘着面２１ｂの面積Ｓ１に対して、８０％未満になるように設定されているので、両面粘着テープ片２０からウエブＷを確実に剥離させることができ、ウエブＷに両面粘着テープ片２０が貼り付いた状態で送り出されることを防止することができる。
【００４０】
このように本実施の形態によれば、両面粘着テープ片２０のウエブ側粘着面２１ａの面積Ｓ２が、巻き芯側粘着面２１ｂの面積Ｓ１に対して、３０％以上８０％未満になるように設定されているので、ウエブＷを両面粘着テープ片２０によって巻き芯１２に確実に貼り付けてウエブＷを巻き芯１２に巻き付けることができるとともに、巻き取り後のウエブＷを巻き戻す際に両面粘着テープ片２０がウエブＷに付着して送られることを確実に防止することができる。
【００４１】
特に本実施の形態では、ウエブＷの長手方向の後端側のマスク２３の面積Ｍ２３が、先端側のマスク２２の面積Ｍ２２に対して１倍以上５倍以下に設定されているので、巻き戻し時にウエブＷが両面粘着テープ２０から剥離されやすくなり、ウエブＷをより確実に両面粘着テープ２０から剥離させることができる。
【００４２】
また、本実施の形態では、両面粘着テープ片２０の巻き芯側粘着面２１ｂにもマスク２４、２５を貼り付けるようにしたので、両面粘着テープ片２０を巻き芯１２から剥離する作業も容易に行うことができる。したがって、使用後の巻き芯１２を洗浄、研磨する際に、両面粘着テープ片２０を容易に剥がすことができる。
【００４３】
なお、上述した実施形態では、両面粘着テープ片２０をウエブＷの長手方向に沿って配置したが、ウエブＷの幅方向に配置してもよい。すなわち、図６に示すように、両面粘着テープ片２０をウエブＷの幅方向に配置してもよい。この場合にも、両面粘着テープ片２０の表裏表面にマスク２２〜２５を貼り付けて粘着力を調節し、ウエブ側粘着面２１ａの面積Ｓ２が、巻き芯側粘着面２１ｂの面積Ｓ１に対して、３０％以上８０％未満になるように設定することが好ましい。また、ウエブ側粘着面２１ａのマスク４０、４１は、ウエブＷの幅方向の両端部に貼り付けることが好ましく、さらに、内側のマスク４０の面積が、外側のマスク４１の面積に対して１倍以上３倍以下となるように設定することが好ましい。これにより、ウエブＷを巻き芯１２から巻き戻す際に、ウエブＷが両面粘着テープ片２０から剥離されやすくなり、両面粘着テープ片２０がウエブＷに付いて送り出されることを防止することができる。
【００４４】
なお、本発明におけるウエブＷとは、一般に、その幅が０．５〜４ｍ、厚さが２〜３００μｍのポリエチレンテレフタレート、ポリエチレン−２，６−ナフタレート、セルロースダイアセテート、セルローストリアセテート、セルロースアセテートプロピオネート、ポリ塩化ビニル、ポリ塩化ビニリデン、ポリカーボネート、ポリイミド、ポリアミド等のプラスチックフィルム；紙；ポリエチレン、ポリプロピレン、エチレンブテン共重合体等の炭素数が２〜１０のα−ポリオレフィン類を塗布又はラミネートした紙；アルミニウム、銅、錫等の金属箔；等から成る可撓性帯状物あるいはこの帯状物を基材として、その表面に加工層を形成した帯状物が含まれる。
【００４５】
また、ウエブＷは、その表面粗さが、たとえばキーエンス製ヴァイオレットレーザー９５００による測定で、表面Ｒａ＝２０ｎｍ、裏面Ｒａ＝１０ｎｍのものを好適に使用することができる。
【００４６】
巻き芯１２は、例えばＦＲＰ等のプラスチック材料により構成されているが、他に金属、紙等により構成してもよい。また、巻き芯１２は、その表面粗さが、ミツトヨ製粗さ測定器ｓｕｒｆｔｅｓｔ−４０２による測定で、Ｒａ＝３．０〜５．６μｍ、平均３．７μｍのもの、あるいは使い込まれて平滑な面Ｒａ＝１．４〜２．６μｍ、平均１．９μｍのものを好適に使用することができる。
【００４７】
ウエブＷの送り速度は２０ｍ／ｍｉｎ以上が好ましく、特に好ましくは５０ｍ／ｍｉｎ以上２００ｍ／ｍｉｎ以下である。
【００４８】
両面粘着テープ片２０としては、たとえば、日東電工製両面粘着テープＮｏ．５３５Ａ、厚さ１２０μｍ、巻き芯側粘着力７．８１（Ｎ／２０ｍｍ）、ベース側粘着力５．０６（Ｎ／２０ｍｍ）のものが好ましく使用される。また、ウエブ厚みをｔｗ（μｍ）としたときに、ウエブＷの切断時の単位幅当たりの張力Ｔｗ（Ｎ／ｍ）を、Ｔｗ≦３×ｔｗの範囲内にすることが好ましく、より好ましくＴｗ≦２×ｔｗである。
【００４９】
なお、上記実施形態では巻き芯１２に予め粘着テープ片２０を貼り付けているが、この他に、ウエブＷ側に粘着テープ片２０を貼り付けた後に、この貼り付け位置を基準にしてウエブＷを切断し、図３に示すような位置関係になるように巻き芯１２にウエブＷを巻き付ける場合にも、本発明を適用することができる。
【００５０】
また、上記実施形態では、テープ片２０の貼付位置を基準にしてカット位置を調節することで、ウエブ先端とテープ片２０との位置関係を一定範囲にしたが、これに代えて、カット位置を基準にして貼付位置を調節する場合にも本発明を適用することができる。
【実施例】
【００５１】
上述したウエブの巻き取り装置において、両面貼着テープ片の向き、マスクの有無、マスクの面積比を変えて試験を行った。そして、各試験例において、ウエブの巻き戻し時における両面粘着テープ片の剥離不良の有無と、ウエブの巻き取り時のツレの発生の有無を調べた。さらに、使用後の巻き芯の洗浄の作業性について調べた。その結果を図７に示す。
【００５２】
図７から分かるように、巻き芯側粘着面のマスクがない比較例３、６では、両面粘着テープ片の張替えが困難であり、巻き芯交換の作業性が悪かったのに対し、巻き芯側粘着面にマスクを設けた実施例１〜１２では、両面粘着テープを容易に剥離することができ、作業性が良くなった。
【００５３】
また、表裏面のマスクの面積比が８０％以上の比較例１、４ではウエブの巻き戻し時に両面粘着テープ片がウエブから剥離しなかったのに対し、面積比が８０％未満の実施例１〜１２では、両面粘着テープ片の剥離不良を防止することができた。
【００５４】
さらに、表裏面のマスクの面積比が３０％未満の比較例２、５ではそれぞれ６割、５割の確率で、ウエブの巻き取り時にツレが発生したのに対し、面積比が３０％以上の実施例１〜１２では、ツレの発生を防止することができた。
【００５５】
また、ウエブ側マスクとして後端側のマスクのみを設けた実施例４や内側のマスクのみを設けた実施例１０では、巻き戻し時に異音が発生したが、製品としては影響がなかった。これに対して、ウエブ側マスクとして両端にマスクを設けた実施例１〜３、５、６及び実施例７〜９、１１、１２は巻き戻し時に異音が発生しなかった。したがって、ウエブ側マスクは両端に設けることが好ましい。
【００５６】
実施例５、６、１１、１２は、実施例２、８に対してシート厚を変えた場合であるが、シート厚を変えた場合にも同様の結果が得られた。
【００５７】
なお、テープの向きは、ウエブの長手方向でも幅方向でも同様の結果を得ることができたが、ウエブの長手方向に配置した方がコストを抑えることができた。
【図面の簡単な説明】
【００５８】
【図１】ウエブの巻き取り装置の概略構成を示す正面図
【図２】図１の巻き芯交換状態の巻き取り装置を示す正面図
【図３】両面粘着テープ片の配置を示す図
【図４】両面粘着テープ片を示す斜視図
【図５】巻き付け手順を示す説明図
【図６】図３と異なる両面粘着テープ片の配置を示す図
【図７】実施例の結果を示す表図
【符号の説明】
【００５９】
１０…ウエブの巻き付け装置、２０…両面粘着テープ片、２２〜２５…マスク、Ｗ…ウエブ
【図１】
2007238187.tif 000003
【図２】
2007238187.tif 000004
【図３】
2007238187.tif 000005
【図４】
2007238187.tif 000006
【図５】
2007238187.tif 000007
【図６】
2007238187.tif 000008
【図７】
2007238187.tif 000009